(57)【要約】      （修正有）【課題】下肢に対して押圧マッサージを行う一対の筒部材を、コンパクトに収納して下肢用マッサージ機の構成部品数を少なくし、且つ様々な場所に設置することを可能としたものであり、使用者が所望の場所にて下肢のマッサージを行うことができる下肢用マッサージ機を提供する。【解決手段】下肢用マッサージ機１は、使用者の下肢Ｌが挿入可能である側面視でＬ字状の一対の筒部材５と、筒部材５に設けられ且つ挿入された下肢Ｌに対して押圧マッサージするエアバッグと、当該エアバッグに空気を供給するポンプとを有する下肢用マッサージ機１において、筒部材５はケース体２の内部に左右に並んで支持されていて、筒部材５の前面、左右方向側面、後面の少なくとも一つの面がケース体２に支持される支持面とされている。【選択図】図１
2016000089.tif 000002
【特許請求の範囲】
【請求項１】
開口された上部から使用者の下肢が挿入可能となっている、側面視でＬ字状に形成された一対の筒部材と、前記筒部材に設けられ、且つ挿入された前記下肢に対して押圧マッサージするエアバッグと、当該エアバッグに空気を供給するポンプと、を有する下肢用マッサージ機において、
前記筒部材は、ケース体の内部に左右に並んで支持されていて、
前記筒部材の前面、左右方向側面、後面の少なくとも一つの面がケース体に支持される支持面とされている
ことを特徴とする下肢用マッサージ機。
【請求項２】
前記支持面とは別の面である非支持面には、下肢の挿入方向に沿った切り込み部が形成されている
ことを特徴とする請求項１に記載の下肢用マッサージ機。
【請求項３】
前記筒部材の前面及び／又は前記筒部材の左右方向内側面が、前記支持面とされると共に、前記筒部材の後面及び／又は前記筒部材の左右方向外側面が、前記非支持面とされていて、
前記切り込み部には、線ファスナー又は面ファスナーが用いられている
ことを特徴とする請求項１又は２に記載の下肢用マッサージ機。
【請求項４】
前記ポンプは、左右一対配備された前記筒部材の中央に設けられていることを特徴とする請求項１〜３のいずれかに記載の下肢用マッサージ機。
【請求項５】
前記筒部材は、水平方向を向く水平筒部材と、垂直方向を向く垂直筒部材とが組み合わせられたＬ字形状に形成されたものであり、
前記水平筒部材の上側面に第１エアバッグを備え、
前記垂直筒部材の下側面に第２エアバッグを備え、
前記垂直筒部材の上側面に第３エアバッグを備えている
ことを特徴とする請求項１〜４のいずれかに記載の下肢用マッサージ機。
【請求項６】
前記筒部材の下部には、挿入された足裏に対して押圧マッサージするマッサージ部材が設けられていることを特徴とする請求項１〜５のいずれかに記載の下肢用マッサージ機。
【請求項７】
前記マッサージ部材には、回転する回転ローラが採用されていることを特徴とする請求項６に記載の下肢用マッサージ機。
【発明の詳細な説明】
【技術分野】
【０００１】
本発明は、下肢をマッサージするのに好適な下肢用マッサージ機に関する。
【背景技術】
【０００２】
従来より、人体の下肢をマッサージできる下肢用マッサージ機が開発されており、例えば、特許文献１に示すようなものがある。
特許文献１に開示された下肢用マッサージ機は、使用者の脚の周りを包むように装着すると共に、圧縮空気によって膨張収縮され脚のマッサージを行う複数のマッサージバッグと、圧縮空気の供給・排出を制御するマッサージ装置本体と、マッサージ装置本体からの圧縮空気をマッサージバッグに供給する空気供給チューブとを有している。
【先行技術文献】
【特許文献】
【０００３】
【特許文献１】特開２０１１−３０９４８号公報
【発明の概要】
【発明が解決しようとする課題】
【０００４】
しかしながら、近年においては、ユーザからの要望は多様なものが挙がってきている。
例えば、特許文献１（特に特許文献１の図１）のような下肢用マッサージ機は、装置自体が大がかりなものであると共に、ブーツ形状のマッサージ部材を下肢に巻き付けるように装着する必要があるものであり、装着に大変な手間がかかり使いづらいので、下肢の着脱が容易な下肢用マッサージ機を開発して欲しいとの要望がある。また、様々な場所に設置することが可能な下肢用マッサージ機を開発して欲しいとの要望もある。
【０００５】
そこで、本発明は、上記問題点に鑑み、下肢に対して押圧マッサージを行う一対の筒部材を、コンパクトに収納して下肢用マッサージ機の構成部品数を少なくし、且つ様々な場所に設置することを可能としたものであり、使用者が所望の場所にて下肢のマッサージを行うことができる下肢用マッサージ機を提供することを目的とする。
【課題を解決するための手段】
【０００６】
上記目的を達成するために、本発明は次の手段を講じた。
本発明にかかる下肢用マッサージ機は、開口された上部から使用者の下肢が挿入可能となっている、側面視でＬ字状に形成された一対の筒部材と、前記筒部材に設けられ、且つ挿入された前記下肢に対して押圧マッサージするエアバッグと、当該エアバッグに空気を供給するポンプと、を有する下肢用マッサージ機において、前記筒部材は、ケース体の内部に左右に並んで支持されていて、前記筒部材の前面、左右方向側面、後面の少なくとも一つの面がケース体に支持される支持面とされていることを特徴とする。
【０００７】
好ましくは、前記支持面とは別の面である非支持面には、下肢の挿入方向に沿った切り込み部が形成されているとよい。
好ましくは、前記筒部材の前面及び／又は前記筒部材の左右方向内側面が、前記支持面とされると共に、前記筒部材の後面及び／又は前記筒部材の左右方向外側面が、前記非支持面とされていて、前記切り込み部には、線ファスナー又は面ファスナーが用いられているとよい。
【０００８】
好ましくは、前記ポンプは、左右一対配備された前記筒部材の中央に設けられているとよい。
好ましくは、前記筒部材は、水平方向を向く水平筒部材と、垂直方向を向く垂直筒部材とが組み合わせられたＬ字形状に形成されたものであり、前記水平筒部材の上側面に第１エアバッグを備え、前記垂直筒部材の下側面に第２エアバッグを備え、前記垂直筒部材の上側面に第３エアバッグを備えているとよい。
【０００９】
好ましくは、前記筒部材の下部には、挿入された足裏に対して押圧マッサージするマッサージ部材が設けられているとよい。
好ましくは、前記マッサージ部材には、回転する回転ローラが採用されているとよい。
【発明の効果】
【００１０】
本発明にかかる下肢用マッサージ機は、一対の筒部材をコンパクトに収納して下肢用マッサージ機の構成部品数を少なくし、且つ様々な場所に設置することを可能としたものであり、使用者が所望の場所にて下肢のマッサージを行うことができる。
【図面の簡単な説明】
【００１１】
【図１】本発明の下肢用マッサージ機の斜視図である。
【図２】本発明の下肢用マッサージ機の内部構造を示した前方斜視図である。
【図３】本発明の下肢用マッサージ機の内部構造を示した側面図である。
【図４】本発明の下肢用マッサージ機の内部構造を示した後方斜視図である。
【図５】本発明の下肢用マッサージ機の背面図である。
【図６】本発明の下肢用マッサージ機の平面図である。
【図７】ローラを採用した場合におけるマッサージ部材の内部構造を示した前方斜視図である。
【図８】突起を採用した場合におけるマッサージ部材の内部構造を示した前方斜視図である。
【発明を実施するための形態】
【００１２】
以下、本発明にかかる下肢用マッサージ機の実施形態を、図に基づいて説明する。
図１〜図８は、本発明にかかる下肢用マッサージ機１の構成及び使用態様を示している。
なお、本明細書において「ふくらはぎＣ」は、人間の下肢Ｌのうち、膝下であって且つ足首より上の部分を言い、「足」は、人間の下肢Ｌのうち、膝下であって且つ足首より下の部分を言う。また、「踵Ｈ（かかと）」は、足首のほぼ真下の部分であって且つ足の後側の部分を言うものとする。また、「足の甲Ｆ」は、足の水平方向中途部であって且つ土踏まずに対向する上側部分を言うものとする。
【００１３】
また、以下の説明では、図３の左右方向を実際の装置での前後方向と呼び、図３の上下方向を実際の装置における上下方向と呼ぶ。図３の紙面貫通方向を実際の装置での左右方向又は幅方向と呼ぶ。これらの方向は、各図において矢印をもって示しており、下肢Ｌを下肢用マッサージ機１に差し入れた使用者から見た方向と一致する。
図１〜図６に示すように、下肢用マッサージ機１は、例えば椅子などに着座した使用者の下肢Ｌ（ふくらはぎＣ、踵Ｈ、足の甲Ｆなど）をマッサージ可能となっている。この下肢用マッサージ機１の内部には、使用者の下肢Ｌに対して押圧マッサージを行うエアバッグ１０ａ〜１０ｃ（空気袋）が搭載されている。
【００１４】
この下肢用マッサージ機１は、開口された上部から使用者の下肢Ｌが挿入可能となっている、側面視でＬ字状に形成された一対の筒部材５と、この筒部材５に設けられ、且つ挿入された下肢Ｌに対して押圧マッサージするエアバッグ１０ａ〜１０ｃと、このエアバッグ１０ａ〜１０ｃに加圧した空気を供給するポンプ１２とを有している。
また、この下肢用マッサージ機１は、側面視で略三角形状のケース体２（ケーシング）を有しており、このケース体２の内部に一対の筒部材５（施療部）が左右に並んで支持されている。つまり、本発明の下肢用マッサージ機１は、一対の筒部材５とケース体２とが一体的な構成とされている。
【００１５】
図１〜図６に示すように、本実施形態の下肢用マッサージ機１は、筒部材５がケース体２の背面側に設けられているため、使用者は下肢Ｌを筒部材５の後方上側（背面上方）から前方下側に向かって挿入する構造となっている。
また、本実施形態の下肢用マッサージ機１は、前述した下肢Ｌ全体のマッサージ動作に加えて、ふくらはぎＣ、踵Ｈ、足の甲Ｆの各マッサージ動作を選択して行えるようにもなっている。
【００１６】
図１に示すように、ケース体２は、前カバー２ａと後カバー２ｂと底部２ｃとを有し、筒部材５並びにポンプ１２（共に詳細は後述する）などを格納する筐体である。ケース体２は、正面視で横長又は縦長の長方形或いは正方形とされ、側面視で筒部材５の形状と略同じＬ字（ブーツ）形状とされている。
また、図５に示すように、ケース体２の背面側には、ケース体２の下部側からケース体２の上端にかけて連続的に開口された挿入凹部３が、左右方向に所定間隔を空けて一対形成されている。これら左右の挿入凹部３に対して筒部材５が嵌め入れられている。
【００１７】
図１、図３に示すように、前カバー２ａは、側面視で下側に凸の形状に形成された板材であって、一対の筒部材５の前面を覆うことのできる大きさで形成されている。また、前カバー２ａの後面側には、筒部材５の前面の上部に対応するＲ面４が左右一対形成されていて、このＲ面４は前述した筒部材５の湾曲した前面（後述する支持面６）に密着するようになっている。このように、このＲ面４が湾曲した前面に密着することにより、筒部材５を立設するように支持している。
【００１８】
図５、図６に示すように、後カバー２ｂは、背面視で逆Ｔ字状の部材であって、上部から下部に向かってほぼ垂直に伸び、その下部で略水平方向に二分割された形状である。
後カバー２ｂの上部の外側縁は、筒部材５の左右方向内側面に対応する形状とされていて、筒部材５の左右方向内側面に密着するようになっている。このように、後カバー２ｂの上部の外側縁が筒部材５の左右方向内側面に密着することにより、筒部材５を立設するように支持している。
【００１９】
一方、後カバー２ｂの下部（水平方向に二分割された部分）の上側縁は、筒部材５の下端部の後面に対応する形状とされている。
また、後カバー２ｂの上部には、押圧マッサージ動作を切り替え可能にする運転操作スイッチ２２が配備され、上下方向中途部には持ち運びをしやすくするための取手２３が設けられている。また、後カバー２ｂの下部には電力をポンプ１２や電動モータ１９に供給する電源スイッチ２４と外部から電力の供給を受ける電源コード２５が配備されている。
【００２０】
以上述べた、前カバー２ａのＲ面４と、後カバー２ｂの上部の外側縁と、後カバー２ｂの下部の上側縁とに取り囲まれた空間を、筒部材５を嵌め入れるための挿入凹部３としている。
一方で、底部２ｃは、皿状の板材であって、足裏マッサージ用のマッサージ部材１４（回転ローラ）と、そのマッサージ部材１４を回転させる回転軸１６と、回転軸１６を駆動させる電動モータ１９と、エアバッグ１０ａ〜１０ｃに供給する空気の量を制御する電磁弁１３（共に詳細は後述する）を配備する。
【００２１】
底部２ｃには、マッサージ部材１４の回転軸１６を支持する支持部材１７が２つ立設されていて、回転軸１６の長手方向両端部と中途部とを支持している。これら支持部材１７の上部には、軸受１８（ベアリング）が配備されていて、回転軸１６を回転自在に支持している。
つまり、ケース体２は、一対の筒部材５の前側を覆うように形成されている。
【００２２】
図２〜図４に示すように、筒部材５は、水平方向を向く水平筒部材５ａと、垂直方向を向く垂直筒部材５ｂとを組み合わしたＬ字形状に形成した施療部であり、ケース体２に略直立状態で支持されている。筒部材５は、可撓性を有する布などで形成された所定の厚みを有する有底の部材であって、水平筒部材５ａが足の甲Ｆ〜足先を覆うと共に、垂直筒部材５ｂが、踵Ｈ〜ふくらはぎＣを覆うものである。
【００２３】
以下の説明において、一対の筒部材５の構成は左右で同じであるため、使用者の左側の下肢Ｌが挿入される筒部材５に着目して説明する。
この筒部材５は、可撓性を有する布などで形成されているので、様々な形状の下肢Ｌに適用可能となっている。
この筒部材５（垂直筒部材５ｂ）の前面、左右方向側面、後面の少なくとも一つの面がケース体２に支持される支持面６とされていて、本実施形態では垂直筒部材５ｂの前面と垂直筒部材５ｂの左右方向内側面が、支持面６とされている。一方、垂直筒部材５ｂの後面と垂直筒部材５ｂの左右方向外側面は、非支持面７とされている。
【００２４】
支持面６は、上記したケース体２の前カバー２ａに形成されたＲ面４と、後カバー２ｂの上部の外側縁と、後カバー２ｂの下部の上側縁とに対応する面であり、このＲ面４、後カバー２ｂの上部の外側縁及び後カバー２ｂの下部の上側縁に密着して支持される。
また、支持面６とは別の面である非支持面７には、下肢Ｌの挿入方向に沿った切り込み部８が形成されている。具体的には、切り込み部８は、垂直筒部材５ｂの背面側の上端から下端にかけて、上下方向に長い線のように切れ込まれている。この切り込み部８により、筒部材５は幅（左右）方向に拡張可能となっていて、下肢Ｌの着脱を容易にしている。また、
切り込み部８には、例えば、線ファスナーや面ファスナー（以降、単にファスナー９と呼ぶ）などの係合部材９が備えられている。そのファスナー９（係合部材）を降ろすことで、筒部材５を開放して下肢Ｌを挿入し易くすることができる。また、ファスナー９を上げることで、筒部材５に挿入した下肢Ｌを確実に固定することができる。
【００２５】
このような筒部材５の外周囲には、下肢Ｌに対して押圧マッサージするエアバッグ１０ａ〜１０ｃ（下肢用マッサージ機構）が、複数備えられている。
詳しくは、筒部材５の水平筒部材５ａの上側面に第１エアバッグ１０ａを備え、垂直筒部材５ｂの下側面に第２エアバッグ１０ｂを一対備え、垂直筒部材５ｂの上側面に第３エアバッグ１０ｃを一対備えている。
【００２６】
図２〜図４に示すように、第１エアバッグ１０ａ〜第３エアバッグ１０ｃは、ポンプ１２からの加圧された空気を貯留可能に形成された袋体であり、大きく膨張できるように膨縮自在に形成されている。第１エアバッグ１０ａ〜第３エアバッグ１０ｃの形状としては、例えば「長方形状の袋体」乃至は「楕円形状の袋体」などが挙げられる。なお、第１エアバッグ１０ａ〜第３エアバッグ１０ｃの形状は、下肢Ｌに対して押圧マッサージすることができるものであれば、特に限定しない。
【００２７】
第１エアバッグ１０ａは、水平筒部材５ａの上側面に一つ以上配備されているものであって、当該上側面から下方に向かって水平筒部材５ａを押圧するものである。
この第１エアバッグ１０ａは、水平筒部材５ａの下部（底）の幅方向一方端から他方端にかけての外周面、すなわち水平筒部材５ａの下部（底）を除く全ての面を覆うことのできる大きさである。つまり、第１エアバッグ１０ａは、水平筒部材５ａの上側面と、その上側面に繋がる内外側面とを合わせた面積と略同じ大きさである。
【００２８】
また、この第１エアバッグ１０ａには、ポンプ１２からの送出された空気を供給して当該第１エアバッグ１０ａを膨張させる空気供給ホース１１が設けられている。このように、第１エアバッグ１０ａが膨張することにより、水平筒部材５ａに差し込まれた足の甲Ｆ及びその周辺（足先など）が、押圧マッサージされることとなる。
第２エアバッグ１０ｂは、垂直筒部材５ｂの幅方向内側面及び外側面の下側に一対配備されているものであって、外側から内部に向かって垂直筒部材５ｂの下側を押圧するものである。
【００２９】
この一対の第２エアバッグ１０ｂは、垂直筒部材５ｂの幅方向内側面及び外側面の下側のほぼ全面を覆う大きさである。詳しくは、第２エアバッグ１０ｂの面積は、高さが垂直筒部材５ｂの上下方向中途部から下側、且つ幅が垂直筒部材５ｂの前端から後端に亘って囲まれる側面（垂直筒部材５ｂの下半分の側面）を覆うことのできる広さである。
また、一対の第２エアバッグ１０ｂには、ポンプ１２からの送出された空気を供給して当該第２エアバッグ１０ｂを膨張させる空気供給ホース１１がそれぞれ設けられている。このように、各第２エアバッグ１０ｂが膨張することにより、垂直筒部材５ｂに差し込まれた踵Ｈの内側面及び外側面が、幅方向外側から押圧マッサージされることとなる。
【００３０】
また、この第２エアバッグ１０ｂは、前端側が第１エアバッグ１０ａの後端側とオーバラップする（重なる）ように配備されている。詳しくは、第２エアバッグ１０ｂの前端側は、第１エアバッグ１０ａの後端側に覆われるように配備されている。このような配備とすることで、踵Ｈ〜足先にかけて均等に押圧マッサージを付与することができる。
第３エアバッグ１０ｃは、垂直筒部材５ｂの幅方向内側面及び外側面の上側に一対配備されているものであって、上側の外側から内部に向かって垂直筒部材５ｂを押圧するものである。
【００３１】
この一対の第３エアバッグ１０ｃは、垂直筒部材５ｂの幅方向内側面及び外側面の上側のほぼ全面を覆う大きさである。詳しくは、第２エアバッグ１０ｂの面積は、高さが垂直筒部材５ｂの上下方向中途部から上側、且つ幅が垂直筒部材５ｂの前端から後端に亘って囲まれる側面（垂直筒部材５ｂの上半分の側面）を覆うことのできる広さである。
また、一対の第３エアバッグ１０ｃには、ポンプ１２からの送出された空気を供給して当該第３エアバッグ１０ｃを膨張させる空気供給ホース１１がそれぞれ設けられている。このように、各第３エアバッグ１０ｃが膨張することにより、垂直筒部材５ｂに差し込まれたふくらはぎＣの内側面及び外側面が、幅方向外側から押圧マッサージされることとなる。
【００３２】
上記した第１エアバッグ１０ａ〜第３エアバッグ１０ｃは、それぞれ独立して膨縮動作をさせることができる。例えば、足の甲Ｆだけ押圧マッサージをする場合には、第１エアバッグ１０ａだけを膨縮動作させることができ、踵ＨとふくらはぎＣに対して押圧マッサージをする場合には、第２エアバッグ１０ｂ及び第３エアバッグ１０ｃを膨縮動作させることができる。
【００３３】
なお、右側に配備される筒部材５及びエアバッグ１０ａ〜１０ｃは、左側と同様であるので説明を省略する。
また、上記のエアバッグ１０ａ〜１０ｃに加圧した空気を供給してエアバッグ１０ａ〜１０ｃを膨張させるポンプ１２（コンプレッサ）と、エアバッグ１０ａ〜１０ｃへの空気の導入とエアバッグ１０ａ〜１０ｃからの空気の排出を切り替える電磁弁１３と、この電磁弁１３を制御する制御装置２１とがケース体２の内部に収納されている。
【００３４】
ポンプ１２は、左右一対配備された筒部材５の中央に設けられていて、ホースを介して電磁弁１３に接続されている。ポンプ１２は、加圧した空気を電磁弁１３に送出し、その電磁弁１３を経た後、各エアバッグ１０ａ〜１０ｃにその空気を供給する。
電磁弁１３は、底部２ｃに配備されていて、各エアバッグ１０ａ〜１０ｃに設けられているホースに接続されている。この電磁弁１３は、制御装置２１にて制御されており、ポンプ１２から送出された空気を所定のエアバッグ１０ａ〜１０ｃに送出している。
【００３５】
制御装置２１は、複数の押圧マッサージのプログラムが組み込まれていて、プログラムごとにエアバッグ１０ａ〜１０ｃの膨張を制御している。
これらより、使用者は、下肢Ｌに対して希望の押圧マッサージを選択することができる。
一方で、左右一対の筒部材５の下部には、挿入された下肢Ｌの足裏に対して押圧マッサージするマッサージ部材１４がそれぞれ設けられていて、これらマッサージ部材１４には円筒状の回転ローラ１４が用いられている。また、左右一対の筒部材５の下部には、ケース体２の底部２ｃの幅方向に亘って、掛け渡すように回転軸１６が配備されている。
【００３６】
回転軸１６には、前述した一対の回転ローラ１４が取り付けられており、この回転軸１６が回転動作することにより回転ローラ１４も共に回転して、足裏に対して押圧マッサージをする。
また、この回転軸１６にはギアボックス２０が連結されており、このギアボックス２０の後側には回転軸１６を回転駆動させる電動モータ１９が連結されている。
【００３７】
図７に示すように、回転軸１６は、ケース体２の底部２ｃの前後方向中央であって、その回転軸１６の軸心が水平面上であり且つ底部２ｃの幅方向を向くように、底部２ｃの一端側から他端側に掛け渡すように一つ配備されている。
この回転軸１６の両端側は、ケース体２の底部２ｃから立設された支持部材１７に回転自在に支持されると共に、回転軸１６の中央がギアボックス２０に支持されている。ゆえに、この回転軸１６は、ギアボックス２０と支持部材１７の三点で支持されている。
【００３８】
支持部材１７は、所定の厚みを有する板材で形成されていて、その上部に回転軸１６を回転自在に支持する軸受１８（ベアリング）が嵌め入れられている。
そして、一端側の支持部材１７とギアボックス２０との間で且つ筒部材５の下部に対応する位置の回転軸１６、及び、ギアボックス２０と他端側の支持部材１７との間で且つ筒部材５の下部に対応する位置の回転軸１６には、足裏に対して押圧マッサージする回転ローラ１４（マッサージ部材）がそれぞれ設けられている。
【００３９】
図７に示すように、一対の回転ローラ１４は、内部を長尺の回転軸１６が串刺し状に貫通していて、回転ローラ１４と回転軸１６とが同じ軸心回りで供回りするようになっている。
この回転ローラ１４は、足裏の土踏まずを面接触状に支えることができる程度の外径で、且つ回転軸１６と同心又は偏心した外周面を有しており、この外周面には、周方向及び回転軸１６の軸方向に間隔をおいて、それぞれ形状の異なる複数の突起部１５ａ，１５ｂが設けられている。
【００４０】
例えば、径外方向に大きく突出し、端部が半円弧状に形成された一対の第１の突起部１５ａは、強く指圧されるような押圧マッサージを所定の間隔で付与することが可能である。また、径外方向に小さく突出した第２の突起部１５ｂは、弱く指圧されるような押圧マッサージを付与することが可能である。つまり、それぞれ異なる形状の突起部１５ａ，１５ｂを複数設けた回転ローラ１４が回転することにより、足裏に多様な押圧マッサージを付与することができる。
【００４１】
また、この回転ローラ１４は、第１エアバッグ１０ａ〜第３エアバッグ１０ｃが前記した膨縮動作を繰り返すときに、これらと連動して回転する。
ところで、筒部材５の下部の後方に配備された電動モータ１９は、その回転駆動軸が前方向に一本突出しており、その回転駆動軸にはウォームギア（図示せず）が取り付けられている。一方、回転軸１６の長手方向中央には、ウォームホイール（図示せず）が取り付けられていて、このウォームホイールにウォームギアが噛合している。これらウォームギア及びウォームホイールは、ギアボックス２０内に内蔵されていて、これらを介して電動モータ１９の回転駆動力が回転軸１６に伝達されるようになっている。
【００４２】
以上述べた回転ローラ１４（マッサージ部材）の回転動作は、上記した制御装置２１により制御されている。つまり、制御装置２１は、エアバッグ１０ａ〜１０ｃの膨縮動作と回転ローラ１４の回転動作とを制御するものである。
また、図８に示すように、挿入された足裏に対して押圧マッサージするマッサージ部材２６は、複数の突起２７ａ，２７ｂが形成された板材をケース体２の底部２ｃに載置する構成であってもよい。
【００４３】
この場合のマッサージ部材２６は、底部２ｃの前後方向の長さより若干短めの長さであり、且つ筒部材５の幅とほぼ同じ幅で形成された板材に複数の突起２７ａ，２７ｂを設けたものを、筒部材５の下部と底部２ｃとの間に配備し、筒部材５に挿入された下肢Ｌの足裏に対して押圧マッサージを付与するようにする。
例えば、板材２６の前後方向中途部に大きい突起（第１の突起２７ａ）を形成して、足の土踏まずに対して押圧マッサージを付与するようにし、板材２６の前側及び後側に複数のやや小さめの突起（第２の突起２７ｂ）を形成して、足裏（足のひら）の全体に対して押圧マッサージを付与するようにするとよい。
【００４４】
次に、図１〜図７に示した下肢用マッサージ機１を使用する状況に基づいて、その作用を説明する。
下肢用マッサージ機１は、電源スイッチ２４又は運転操作スイッチ２２がオフの状態にあるときには、図２〜図４に示すように、第１エアバッグ１０ａ〜第３エアバッグ１０ｃは収縮した状態であり、回転ローラ１４は停止している。
【００４５】
そこでまず、使用者は、ファスナー９（係合部材）を降ろして、筒部材５を開放して左右の下肢Ｌを筒部材５に嵌め入れる。そうすると、足の甲Ｆが第１エアバッグ１０ａの位置に配備され、踵Ｈが第２エアバッグ１０ｂに配備され、ふくらはぎＣが第３エアバッグ１０ｃに配備されるようになる。そして、ファスナー９を上げて下肢Ｌを固定する。
この状態で電源スイッチ２４又は運転操作スイッチ２２をオンに操作すると、ポンプ１２及び電動モータ１９が作動する。
【００４６】
ポンプ１２では、加圧された空気を電磁弁１３を介して、第１エアバッグ１０ａ〜第３エアバッグ１０ｃに供給する。電動モータ１９では、出力した駆動力がウォームギア及びウォームホイールを介して回転軸１６に伝達し、回転軸１６を回転させる。このとき、第１エアバッグ１０ａ〜第３エアバッグ１０ｃと回転ローラ１４（マッサージ部材）は、共に連動するようになっている。
【００４７】
第１エアバッグ１０ａ〜第３エアバッグ１０ｃにおいては、空気が供給され膨張が開始すると、第１エアバッグ１０ａによって足の甲Ｆが押圧され、第２エアバッグ１０ｂによって踵Ｈの幅方向の側面が押圧され、第３エアバッグ１０ｃによってふくらはぎＣの幅方向の側面が押圧されて、下肢Ｌが効果的に押圧マッサージされる状態となる。
一方、回転ローラ１４においては、電動モータ１９の駆動力が回転軸１６に伝達され、マッサージ部材１４である回転ローラ１４が回転し、足裏に対して押圧マッサージを加えることになる。このとき、第１エアバッグ１０ａが膨張すると、第１エアバッグ１０ａが上側から下向きに足の甲Ｆ（足自体）を押すことになり、足裏が回転ローラ１４に押しつけられ、効果的に足裏の押圧マッサージが行われることになる。さらに、第２エアバッグ１０ｂが膨張すると、第２エアバッグ１０ｂにより足が左右に移動することが抑制され、足裏に対する回転ローラ１４のマッサージ効果が強力に働くようになる。
【００４８】
また、第１エアバッグ１０ａを膨張させて、その後に第２エアバッグ１０ｂを膨張させると共に第１エアバッグ１０ａを収縮させて、さらにその後に第３エアバッグ１０ｃを膨張させると共に第２エアバッグ１０ｂを収縮させる膨縮動作を行うことで、下肢Ｌの血液を上方（大腿より上方）に送ることができるようになり、下肢Ｌの血行を促進させることができる。
【００４９】
以上述べた下肢用マッサージ機１によれば、一対の筒部材５をコンパクトに収納して下肢用マッサージ機１の構成部品数を少なくし、且つ様々な場所に設置することを可能としたものであり、使用者が所望の場所にて下肢Ｌのマッサージを行うことが可能となる。
ところで、今回開示された実施形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００５０】
例えば、本実施形態では、切り込み部８を筒部材５の背面に形成したものとして説明したが、筒部材５の左右方向外側面に形成してもよい。
また、本実施形態では、筒部材５の前面側をケース体２で支持した（覆った）下肢用マッサージ機１を例に挙げて説明したが、この下肢用マッサージ機１は一つの例であり、例えば筒部材５の背面側をケース体２で支持した下肢用マッサージ機１であってもよい。
【００５１】
そのとき、支持面６を筒部材５の後面及び／又は筒部材５の左右方向内側面がとし、非支持面７を筒部材５の前面及び／又は筒部材５の左右方向外側面とするとよい。また、切り込み部８を、前面乃至は筒部材５の左右方向外側面に形成するとよい。
また、本実施形態の筒部材５においては、背面に切り込み部８を形成したものを例に挙げて説明したが、下肢を挿入可能であれば、切り込み部８が非形成の筒部材５であってもよい。
【００５２】
また、本実施形態においては、回転ローラ１４をマッサージ部材としたが、ケース体２の底部２ｃから立設される突起であってもよい。
すなわち、本願発明は、筒部材５の一部の面をケース体２で支持した下肢用マッサージ機１であれば、特に限定しない。
また、本発明にかかる下肢用マッサージ機１は、椅子型マッサージ機の座部前方に設けることで、フットレストとして兼用可能に設けることも可能である。
【符号の説明】
【００５３】
１  下肢用マッサージ機
２  ケース体（ケーシング）
２ａ  前カバー
２ｂ  後カバー
２ｃ  底部
３  挿入凹部
４  Ｒ面
５  筒部材（施療部）
５ａ  水平筒部材
５ｂ  垂直筒部材
６  支持面
７  非支持面
８  切り込み部
９  係合部材（ファスナー）
１０ａ  第１エアバッグ
１０ｂ  第２エアバッグ
１０ｃ  第３エアバッグ
１１  空気供給ホース
１２  ポンプ（コンプレッサ）
１３  電磁弁
１４  マッサージ部材（回転ローラ）
１５ａ  第１の突起部
１５ｂ  第２の突起部
１６  回転軸
１７  支持部材
１８  軸受
１９  電動モータ
２０  ギアボックス
２１  制御装置
２２  運転操作スイッチ
２３  取手
２４  電源スイッチ
２５  電源コード
２６  マッサージ部材（板材）
２７ａ  第１の突起
２７ｂ  第２の突起
Ｌ  下肢
Ｃ  ふくらはぎ
Ｈ  踵（かかと）
Ｆ  足の甲
【図１】
2016000089.tif 000003
【図５】
2016000089.tif 000004
【図６】
2016000089.tif 000005
【図７】
2016000089.tif 000006
【図８】
2016000089.tif 000007
【図２】
2016000089.tif 000008
【図３】
2016000089.tif 000009
【図４】
2016000089.tif 000010